(57)【要約】【課題】  トナー像の濃度むらを軽減する。【解決手段】  張架されたワイヤ電極に電圧を印加して放電を行うコロナ帯電器２０と、前記コロナ帯電器２０の下方に配置され、前記コロナ帯電器２０によって帯電する感光体層を周面に有する感光体ドラム１０であって、前記感光体層は、前記感光体ドラム１０の回転軸方向の中央部よりも両端部の方が帯電性が高い感光体ドラム１０と、を備える画像形成装置１によって、感光体層の表面電位のむらが少なくなるように感光体ドラム１０を帯電させることができる。これにより、トナー像の濃度むらを軽減することができる。【選択図】    図１
2020086249.tif 000002
【特許請求の範囲】
【請求項１】
張架されたワイヤ電極に電圧を印加して放電を行うコロナ帯電器と、
前記コロナ帯電器の下方に配置され、前記コロナ帯電器によって帯電する感光体層を周面に有する感光体ドラムであって、前記感光体層は、前記感光体ドラムの回転軸方向の中央部よりも両端部の方が帯電性が高い感光体ドラムと、を備える画像形成装置。
【請求項２】
張架されたワイヤ電極に電圧を印加して放電を行うコロナ帯電器と、
前記コロナ帯電器の上方に配置され、前記コロナ帯電器によって帯電する感光体層を周面に有する感光体ドラムであって、前記感光体層は、前記感光体ドラムの回転軸方向の両端部よりも中央部の方が帯電性が高い感光体ドラムと、を備える画像形成装置。
【請求項３】
前記コロナ帯電器のワイヤ電極は、１次ワイヤ電極とグリッド電極とからなる請求項１または２に記載の画像形成装置。
【請求項４】
画像形成装置に用いられ、周面に感光体層を有する感光体ドラムであって、
張架されたワイヤ電極に電圧を印加して放電を行うコロナ帯電器の下方に配置され、前記感光体層は、感光体ドラムの回転軸方向の中央部よりも両端部の帯電性が高い感光体ドラム。
【請求項５】
画像形成装置に用いられ、周面に感光体層を有する感光体ドラムであって、
張架されたワイヤ電極に電圧を印加して放電を行うコロナ帯電器の上方に配置され、前記感光体層は、感光体ドラムの回転軸方向の両端部よりも中央部の帯電性が高い感光体ドラム。
【発明の詳細な説明】
【技術分野】
【０００１】
本発明は、画像形成装置および感光体ドラムに関する。
【背景技術】
【０００２】
複写機またはレーザプリンタなどの画像形成装置において、感光体ドラムを帯電させる帯電過程で、感光体ドラムの帯電状態が感光体ドラムの部分によって異なる、いわゆる帯電むらが生じることがある。このような帯電むらを軽減するために、帯電装置の帯電特性を調整する電子写真装置が知られている。
【０００３】
例えば、感光体ドラムの帯電性のむらを解消するために、コロナ帯電器の帯電ワイヤの高さを調整して、感光体ドラムの長手方向の帯電性のむらをコロナ帯電器の帯電特性を調整して軽減する電子写真装置が知られている（例えば、特許文献１を参照）。
【０００４】
また、感光ドラムの周方向の複数の位置で表面電位電圧を検出してコロナ帯電器に印加すべき印加電圧を算出して帯電むらを解消しようとする電位制御装置が知られている（例えば、特許文献２参照）。
【先行技術文献】
【特許文献】
【０００５】
【特許文献１】特開２０００−１７２０３０号公報
【特許文献２】特開２０１１−４８３００号公報
【発明の概要】
【発明が解決しようとする課題】
【０００６】
特許文献１，２に示されるコロナ帯電器は、長尺の感光体ドラムに帯電させる場合でも構造が複雑にならない帯電装置である。しかしながら、電極として張架されるワイヤが重力によって撓むため、感光体ドラムと電極であるワイヤとの距離が変化して、感光体ドラムの回転軸方向で帯電量がばらつく帯電むらが生じるおそれがある。その結果、感光体ドラム上に形成された潜像を現像したとき、トナー像に濃度むらが生じ、印刷物の品質が低下するおそれがある。
【課題を解決するための手段】
【０００７】
本開示の画像形成装置は、張架されたワイヤ電極に電圧を印加して放電を行うコロナ帯電器と、前記コロナ帯電器の下方に配置され、前記コロナ帯電器によって帯電する感光体層を周面に有する感光体ドラムであって、前記感光体層は、前記感光体ドラムの回転軸方向の中央部よりも両端部の方が帯電性が高い感光体ドラムと、を備えるものである。
【０００８】
本開示の画像形成装置は、張架されたワイヤ電極に電圧を印加して放電を行うコロナ帯電器と、前記コロナ帯電器の上方に配置され、前記コロナ帯電器によって帯電する感光体層を周面に有する感光体ドラムであって、前記感光体層は、前記感光体ドラムの回転軸方向の両端部よりも中央部の方が帯電性が高い感光体ドラムと、を備えるものである。
【０００９】
本開示の感光体ドラムは、画像形成装置に用いられ、周面に感光体層を有する感光体ドラムであって、張架されたワイヤ電極に電圧を印加して放電を行うコロナ帯電器の下方に配置され、前記感光体層は、感光体ドラムの回転軸方向の中央部よりも両端部の帯電性が高いものである。
【００１０】
本開示の感光体ドラムは、画像形成装置に用いられ、周面に感光体層を有する感光体ドラムであって、張架されたワイヤ電極に電圧を印加して放電を行うコロナ帯電器の上方に配置され、前記感光体層は、感光体ドラムの回転軸方向の両端部よりも中央部の帯電性が高いものである。
【発明の効果】
【００１１】
本開示の画像形成装置によれば、感光体層の表面電位のむらが少なくなるように感光体ドラムを帯電させることができるので、トナー像の濃度むらを軽減し、品質の高い印刷物を得ることができる。
【００１２】
本開示の感光体ドラムによれば、感光体層の表面電位のむらが少なくなるように感光体ドラムを帯電させることができるので、トナー像の濃度むらを軽減し、品質の高い印刷物を得ることができる画像形成装置を構成することができる。
【図面の簡単な説明】
【００１３】
【図１】第１実施形態の画像形成装置の構成を示す構成図である。
【図２】感光体ドラムの製造装置の一例の概略構成を示す説明図である。
【図３】感光体ドラムの感光体層を示す模式図である。
【図４】コロナ帯電器のグリッド電極と感光体層との距離と感光体層の表面電位との関係を示すグラフである。
【図５】第１実施形態の画像形成装置の感光体ドラムとコロナ帯電器とを示す説明図である。
【図６】第１実施形態に示す感光体ドラムの帯電特性を示すグラフである。
【図７】第２実施形態の画像形成装置の構成を示す構成図である。
【図８】第２実施形態の画像形成装置の感光体ドラムとコロナ帯電器とを示す説明図である。
【図９】感光体ドラムの帯電特性を示すグラフである。
【図１０】感光体ドラムの帯電特性を測定するための測定装置の例を示す構成図である。
【図１１】感光体ドラムの分光感度特性を示すグラフである。
【図１２】感光体ドラムの帯電特性を示すグラフである。
【図１３】感光体ドラム上の位置と、帯電特性および膜厚特性との関係を示すグラフである。
【図１４】感光体ドラム上の位置と、感度特性との関係を示すグラフである。
【図１５】感光体ドラム上の位置と、感度特性および膜厚特性との関係を示すグラフである。
【発明を実施するための形態】
【００１４】
以下、図面を用いて各実施形態の画像形成装置について説明する。図１は、第１実施形態の画像形成装置の構成を示す構成図である。図２は、感光体ドラムの製造装置の一例を示す説明図である。図３は、感光体ドラムの感光体層を示す模式図である。画像形成装置１は、アルミニウムの円筒の素管１１の外周面に感光体層１２を形成した感光体ドラム１０を有している。感光体ドラム１０の周囲には、コロナ帯電器２０、露光装置３０、現像装置４０、転写ローラ５０およびクリーニングブレード６０が配置されている。
【００１５】
第１実施形態の画像形成装置１において、感光体ドラム１０は、矢印Ｃの方向に回転する。コロナ放電を行うコロナ帯電器２０によって帯電された感光体ドラム１０の表面には、露光装置３０によって、画像情報に応じてレーザ光Ｌが照射され、静電潜像が形成される。感光体ドラム１０の表面に形成された静電潜像は、現像装置４０によってトナー像として現像され、転写ローラ５０によって、転写媒体Ｐに転写される。その後、感光体ドラム１０の表面の転写されなかった現像剤がクリーニングブレード６０によって掻き落とされ、現像剤回収容器（図示せず）に回収される。その後、除電器（図示せず）などによって感光体ドラム１０の除電を行い、再びコロナ帯電器２０によって帯電される。
【００１６】
転写媒体Ｐとしては、紙のほか、転写ベルトを使用することができる。例えば、転写ベルト上に画像形成装置１を複数個並べて、イエロー、マゼンタ、シアン、ブラックの現像剤を転写ベルトに順次転写して、転写ベルト上のトナー像を２次転写して紙に定着させる、カラー画像形成装置に適用することも可能である。
【００１７】
感光体ドラム１０は、アルミニウムまたはアルミニウム合金の円筒状の素管１１の周面に、プラズマ気相成長（Ｐ−ＣＶＤ：Plasma - Chemical Vapor Deposition）法などによって、アモルファスシリコンを主成分とする感光体層１２を形成したものである。図３に示すように、感光体層１２は、下部電荷注入阻止層（下部阻止層ともいう）１３、感光層１４および表面層１５を素管１１上にこの順に積層して形成されている。
【００１８】
図２は、Ｐ−ＣＶＤ法のうち、ＲＦ−ＣＶＤ（radio frequency - Chemical Vapor Deposition）法による製造装置の一例の概略構成を示した説明図である。この例のような製造装置を用いて、以下のような工程で感光体ドラム１０を作製する。まず、アルミニウムの円筒状の素管１１を真空チャンバー７１内に入れる。次に、真空チャンバー７１内を真空ポンプ７２で排気しながら、原料ガス７３をガス制御装置７４を介して真空チャンバー７１内に導入する。次に、高周波発生器７５および整合器７６によって高周波を真空チャンバー７１に印加して、真空チャンバー７１と素管１１との間にプラズマを発生させ、素管１１を回転軸Ｒの周りに回転させながら、素管１１の表面上に感光体層１２を順に成膜する。表１に成膜条件の一例を示す。
【００１９】
【表１】
2020086249.tif 000003
【００２０】
このとき、原料ガス７３の成分、原料ガス７３の導入位置、および真空チャンバー７１における排気位置を調整することによって、素管１１に形成される各層の膜厚の状態を制御することができる。このことによって、回転軸Ｒ方向（感光体ドラム１０の長手方向）において、感光体層１２の帯電性の分布を変化させることができる。例えば、第１実施形態の感光体ドラム１０のように、感光体ドラム１０の中央部１０ｃの帯電性が低く、感光体ドラム１０の両端部である一端部１０ａおよび他端部１０ｂの帯電性が高い感光体ドラム１０を作製することができる。
【００２１】
ここでいう帯電性とは、感光体ドラム１０の表面に所定の電荷量の電荷を帯電させた場合の表面電位の上昇の程度をいい、感光体ドラム１０の表面に同じ電荷量の電荷を帯電させたとき、表面電位の低い部分は帯電性が低く、表面電位の高い部分は帯電性が高い。第１実施形態においては、感光体ドラム１０の中央部１０ｃの表面電位の上昇の度合いは小さく、帯電性が低い。また、感光体ドラム１０の一端部１０ａおよび他端部１０ｂの表面電位の上昇の度合いは大きく、帯電性は高い。
【００２２】
図１に示すように、本例におけるコロナ帯電器２０は、感光体ドラム１０の上方に配設されている。コロナ帯電器２０は、帯電手段として制御しやすいことで広く用いられているスコロトロンを用いている。コロナ帯電器２０には、導電性シールド２１と、１次ワイヤ電極であるコロナ放電電極２２と、グリッド電極２３とを含んでいる。コロナ帯電器２０は、スコロトロンの構成からグリッド電極２３を除いた形態であるコロトロンであってもよい。
【００２３】
図４は、コロナ帯電器のグリッド電極と感光体層との距離と感光体層の表面電位との関係を示すグラフである。図４に示すグラフにおいて、横軸は基準値に対してグリッドを近付けた距離（ｍｍ）を示し、縦軸は感光体ドラムの表面電位（Ｖ）を示している。基準値に対してグリッド電極２３の距離を変化させると、グリッド電極２３と感光体層１２との距離が小さい（近い）ほど感光体層１２の表面電位が上昇していることがわかる。これは、感光体層１２の帯電量が増加するので、表面電位も上昇していることによる。
【００２４】
図５は、第１実施形態の画像形成装置の感光体ドラムとコロナ帯電器とを示す説明図である。本例のコロナ帯電器２０は、感光体ドラム１０に向かって下向きに開口している導電性シールド２１と、導電性シールド２１とは電気的に絶縁され、一端側２１ａから他端側２１ｂにかけて張架されているコロナ放電電極２２と、コロナ放電電極２２よりも下方である、感光体ドラム１０に近い側にコロナ放電電極２２に沿って張架されたグリッド電極２３とを有している。
【００２５】
グリッド電極２３は、一端部２３ａ、他端部２３ｂ、中央部２３ｃを有している。一端部２３ａおよび他端部２３ｂに比べて中央部２３ｃが重力によって、下方に撓んだ状態になっている。例えば、ワイヤの長さが６０ｃｍのスコロトロンの場合であれば、中央部２３ｃは、一端部２３ａおよび他端部２３ｂよりも約０．５ｍｍ下方に撓んでいる。
【００２６】
図６は第１実施形態に示す感光体ドラムの帯電特性を示すグラフである。グリッド電極２３の中央部２３ｃが下方に撓んでいるので、コロナ放電はコロナ帯電器２０の一端部２０ａおよび他端部２０ｂよりも、中央部２０ｃで起こるコロナ放電が感光体ドラム１０に近接して起こる。そのため、帯電性が均一な感光体層２０であれば、点線ｍ１で示されるように、感光体ドラム１０の回転軸Ｒ方向（長手方向）の中央部の表面電位が両端部の表面電位よりも大きくなる。
【００２７】
第１実施形態の感光体ドラム１０をコロナ帯電器２０で帯電させると、グリッド電極２３の中央部２３ｃが撓んでいるので、感光体層１２の帯電性の低い中央部１２ｃの帯電量が大きくなり、帯電性の高い一端部１２ａおよび他端部１２ｂの帯電量が小さくなる。また、感光体ドラム１０の帯電性は、実線ｍ２に示すように、一端部１２ａおよび他端部１２ｂの帯電性が高く、中央部１２ｃの帯電性が低いので、実線ｍ３に示すように、コロナ帯電器２０で帯電後の感光体層１２の一端部１２ａ、他端部１２ｂ、中央部１２ｃの表面電位の差を小さくすることができる。このように、感光体層１２の表面電位が均一化されるので、濃度むらの少ない画像形成装置１を得ることができる。
【００２８】
図７は、第２実施形態の画像形成装置の構成を示す構成図である。第１実施形態の画像形成装置１に比べて感光体ドラム１１０の特性およびコロナ帯電器１２０の位置が異なっている。画像形成装置２は、感光体ドラム１１０を有し、感光体ドラム１１０の周囲には、コロナ帯電器１２０、露光装置１３０、現像装置１４０、転写ローラ１５０およびクリーニングブレード１６０が配置されている。
【００２９】
第２実施形態の画像形成装置２において、感光体ドラム１１０は、矢印Ｃの方向に回転する。コロナ帯電器１２０によって帯電された感光体ドラム１１０の表面には、露光装置１３０によって、画像情報に応じてレーザ光Ｌが照射され、静電潜像が形成される。感光体ドラム１１０の表面に形成された静電潜像は、現像装置１４０によってトナー像として現像され、転写ローラ１５０によって、転写媒体Ｐに転写される。その後、感光体ドラム１１０の表面の転写されなかった現像剤がクリーニングブレード１６０によって掻き落とされ、現像剤回収容器（図示せず）に回収される。
【００３０】
図８は、第２実施形態の画像形成装置の感光体ドラムとコロナ帯電器とを示す説明図である。第２実施形態の感光体ドラム１１０においては、感光体層１１２の中央部１１２ｃの帯電性が高く、両端部である一端部１１２ａおよび他端部１１２ｂの帯電性が低くなっている。本例のコロナ帯電器１２０は、感光体ドラム１１０に向かって上向きに開口している導電性シールド１２１と、導電性シールド１２１とは電気的に絶縁され、導電性シールド１２１の一端側１２１ａから他端側１２１ｂにかけて張架されているコロナ放電電極１２２と、コロナ放電電極１２２の上方にある、感光体ドラム１１０に近い側にコロナ放電電極１２２に沿って張架されたグリッド電極１２３とを有している。
【００３１】
また、グリッド電極１２３は、一端部１２３ａ、他端部１２３ｂ、中央部１２３ｃを有している。一端部１２３ａ、他端部１２３ｂに比べて中央部２３ｃが重力によって、下方に撓んだ状態になっている。ワイヤの長さが６０ｃｍのスコロトロンの場合、中央部１２３ｃは、一端部１２３ａ、他端部１２３ｂよりも０．５ｍｍ下方に撓んでいる。
【００３２】
図９は感光体ドラムの帯電特性を示すグラフである。グリッド電極１２３の中央部１２３ｃが下方に撓んでいるので、コロナ放電はコロナ帯電器１２０の中央部１２０ｃにおけるコロナ放電よりも、一端部１２０ａおよび他端部１２０ｂおけるコロナ放電は、感光体ドラム１１０に近接して起こる。そのため、帯電性が均一な感光体層１１２であれば、点線ｎ１で示されるように、感光体ドラム１１０の両端部の表面電位が中央部の表面電位よりも大きくなる。
【００３３】
第２実施形態の感光体ドラム１１０をコロナ帯電器１２０で帯電させると、グリッド電極１２３の中央部１２３ｃが撓んでいるので、感光体層１１２の帯電性の高い中央部１１２ｃの帯電量が小さくなり、帯電性の低い一端部１１２ａおよび他端部１１２ｂの帯電量が大きくなる。また、感光体ドラム１１０の帯電性を示す実線ｎ２に示すように、感光体層１１２の一端部１１２ａおよび他端部１１２ｂの帯電性が低く、中央部１１２ｃの帯電性が高いので、実線ｎ３に示すように、コロナ帯電器１２０で帯電後の感光体層１１２の一端部１１２ａ、他端部１１２ｂ、中央部１１２ｃの表面電位の差を小さくすることができる。このように、感光体ドラム１１０の表面電位が均一化されるので、濃度むらの少ない画像形成装置２を得ることができる。
【００３４】
図１０は、感光体ドラムの帯電特性を測定するための測定装置の例を示す構成図である。測定装置２００に、第２実施形態の画像形成装置に用いられている感光体ドラム１１０を取り付けて特性を測定する。感光体ドラム１１０の上方にコロナ帯電器であるコロトロン２２０が配置され、回転軸方向から見て時計回りに９０°回転した横方向の位置に露光装置２３０を配置し、さらに時計回りに９０°回転した位置に電位測定プローブ２４０が配置され、さらに時計回りに１３５°回転した位置に除電のための除電ランプ２５０が配置されている。
【００３５】
感光体ドラム１１０は、例えば直径が２４２ｍｍ、回転軸方向の長さが５８０ｍｍの円筒状であり、アルミニウムまたはアルミニウム合金で形成されている。感光体ドラム１１０の周面の回転速度は、７６０．３ｍｍ／ｓであり、回転数は、６０ｒｐｍである。露光装置２３０は、ハロゲンランプと干渉フィルタとからなり、波長は６３０ｎｍであり、光量は０．１〜１．５μＪ／ｃｍ２である。除電ランプ２５０はＬＥＤ（Light Emitting Diode）からなり、波長は６３０ｎｍであり、光量は４μＪ／ｃｍ２である。感光体ドラム１１０の一端から回転軸方向に５０ｍｍの位置、２９０ｍｍの位置、５３０ｍｍの位置の帯電特性および感度特性を測定している。
【００３６】
図１１は、感光体ドラムの分光感度特性を示すグラフである。図１１に示すグラフにおいて、横軸は露光の波長（ｎｍ）を示し、縦軸は感光体ドラム１１０の表面電位を５００Ｖから露光によって２５０Ｖに低下させるのに必要な露光量に基づいて求めた分光感度（Ｖ・ｃｍ／μＪ）を示している。また、３種類のデータプロットおよび特性曲線は、感光体層１１２の一端部１１２ａ、他端部１１２ｂおよび中央部１１２ｃにおける結果を示している。本例の感光体ドラム１１０では、一端部１１２ａ、他端部１１２ｂおよび中央部１１２ｃで、分光感度特性が異なっている。しかし、６３０ｎｍの波長では、分光感度が略等しくなっている。したがって、６３０ｎｍ前後の波長の光で露光すれば感度特性の差がないので、コロナ帯電器１２０で表面電位が略等しくなるように帯電させれば、濃度むらがなくなることが期待できる。
【００３７】
図１２は、感光体ドラムの帯電特性を示すグラフである。図１２に示すグラフにおいて、横軸は感光体ドラム１１０に帯電させる電荷量（μＣ／ｃｍ２）を示し、縦軸は感光体ドラム１１０の表面電位（Ｖ）を示している。また、３種類のデータプロットおよび特性曲線は、感光体層１１２の一端部１１２ａ、他端部１１２ｂおよび中央部１１２ｃにおける結果を示している。また、図１３は、感光体ドラム上の位置と、帯電特性および膜厚特性との関係を示すグラフである。図１３に示すグラフにおいて、横軸は感光体ドラム１１０の回転軸方向の位置（ｍｍ）を示し、縦軸は、右側の軸が感光体層１１２の総膜厚（μｍ）を、左側の軸が感光体ドラム１１０の表面電位（Ｖ）を示している。また、×で示すデータプロットおよび特性曲線は総膜厚の結果を示し、他の３種類のデータプロットおよび特性曲線は、感光体ドラム１１０に帯電させる電荷量を３通りに変えたときの表面電位の結果を示している。使用した感光体ドラム１１０の感光体層１１２は、中央部１１２ｃの膜厚が両端部である一端部１１２ａおよび他端部１１２ｂの膜厚よりも大きくなっている。このような感光体ドラム１１０の場合には、同じ電荷量を帯電させた場合の感光体層１１２の表面電位は、一端部１１２ａおよび他端部１１２ｂよりも中央部１１２ｃが大きくなっており、感光体層１１２の感光体ドラム１１０の回転軸方向の中央部１１２ｃは、一端部１１２ａおよび他端部１１２ｂよりも帯電性が高いといえる。
【００３８】
図１４は、感光体ドラム上の位置と、感度特性との関係を示すグラフである。図１４に示すグラフにおいて、横軸は感光体ドラム１１０に露光する露光量（μＪ／ｃｍ２）を示し、縦軸は表面電位を５００Ｖに帯電させた感光体ドラム１１０の露光後の表面電位（Ｖ）を示している。また、３種類のデータプロットおよび特性曲線は、感光体層１１２の一端部１１２ａ、他端部１１２ｂおよび中央部１１２ｃにおける結果を示している。なお、露光に用いた波長は６３０ｎｍである。また、図１５は、感光体ドラム上の位置と、感度特性および膜厚特性との関係を示すグラフである。図１５に示すグラフにおいて、横軸は感光体ドラム１１０の回転軸方向の位置（ｍｍ）を示し、縦軸は、右側の軸が感光体層１１２の総膜厚（μｍ）を、左側の軸が表面電位を５００Ｖに帯電させた感光体ドラム１１０について露光後の表面電位（Ｖ）を示している。また、×で示すデータプロットおよび特性曲線は総膜厚の結果を示し、他の３種類のデータプロットおよび特性曲線は、感光体ドラム１１０に露光する露光量を３通りに変えたときの表面電位の結果を示している。感光体ドラム１１０の感光体層１１２の回転軸方向の一端部１１２ａおよび他端部１１２ｂと中央部１１２ｃとの感度特性は略一致していることがわかる。また、膜厚が異なっていても感度特性は変化が少なく、感度むらがほとんど生じないことがわかる。
【００３９】
このことから、帯電特性のむらがあっても感度特性のばらつきの少ない感光体ドラムが実現可能であるといえる。例えば、感光体層１１２の回転軸方向の中央部１１２ｃが、両端部である一端部１１２ａおよび他端部１１２ｂよりも帯電性が高い感光体ドラム１１０を、図７に示すコロナ帯電器１２０が下側にあるような画像形成装置２に適用することによって、帯電性の高い中央部１１２ｃに印加される電荷量を少なく、帯電性の低い一端部１１２ａおよび他端部１１２ｂに印加される電荷量を多く帯電させることができるので、帯電させたときの表面電位のむらが少なくなる。そして、感度特性は、中央部１１２ｃと、一端部１１２ａおよび他端部１１２ｂは略同じことから、露光および現像したときに、濃度むらのないトナー像を得ることができる。
【００４０】
以上、本発明について詳細に説明したが、本発明は上述の実施の形態に限定されるものではなく、本発明の要旨を逸脱しない範囲内において種々の変更、改良等が可能である。
【符号の説明】
【００４１】
１，２  画像形成装置
１０，１１０  感光体ドラム
１２，１１２  感光体層
１２ａ，１１２ａ  一端部
１２ｂ，１１２ｂ  他端部
１２ｃ，１１２ｃ  中央部
２０，１２０    コロナ帯電器
２２，１２２    コロナ放電電極（１次ワイヤ電極）
２３，１２３    グリッド電極
【図１】
2020086249.tif 000004
【図２】
2020086249.tif 000005
【図３】
2020086249.tif 000006
【図４】
2020086249.tif 000007
【図５】
2020086249.tif 000008
【図６】
2020086249.tif 000009
【図７】
2020086249.tif 000010
【図８】
2020086249.tif 000011
【図９】
2020086249.tif 000012
【図１０】
2020086249.tif 000013
【図１１】
2020086249.tif 000014
【図１２】
2020086249.tif 000015
【図１３】
2020086249.tif 000016
【図１４】
2020086249.tif 000017
【図１５】
2020086249.tif 000018